(57)【要約】      （修正有）【課題】ロー付けの部位の接合強度の軽減化を図ることができる加工用刃物を提供する。【解決手段】加工用刃物Ｋは、回転軸１に取り付けられ、回転しながら被加工物の加工を行う加工用刃物Ｋであって、被加工物の加工は、回転刃物本体２の切削刃で行うものであり、回転刃物本体２の中央部には、多角形状の貫通部２ｂを有し、回転軸１の先端の断面形状は、多角形状部１ａに形成され、多角形状の貫通部２ｂの内壁２ｂ１に多角形状部１ａを当接させると共に、回転軸１と回転刃物本体２とをロー付けにより接合するものである。【選択図】図４
0003183669.tif 000002
【実用新案登録請求の範囲】
【請求項１】
回転軸に取り付けられ、回転しながら被加工物の加工を行う加工用刃物であって、
前記被加工物の加工は、回転刃物本体の切削刃で行うものであり、
前記回転刃物本体の中央部には、多角形状の貫通部を有し、
前記回転軸の先端の断面形状は、多角形状部に形成され、
前記多角形状の貫通部の内壁に前記多角形状部を当接させると共に、前記回転軸と前記回転刃物本体とをロー付けにより接合する
ことを特徴とする加工用刃物。
【請求項２】
回転軸に着脱自在に取り付けられ、回転しながら被加工物の加工を行う加工用刃物であって、
前記被加工物の加工は、回転刃物本体の切削刃で行うものであり、
前記回転刃物本体の中央部には貫通部を有し、
前記回転軸の先端には突出部が設けられ、
前記突出部の中央には凹部が設けられ、
前記回転軸の長手方向に沿うと共に、前記突出部から前記突出部の根元を超えた前記回転軸の部位に至る複数のスリットを設け、
前記凹部の内壁には、雌ねじが形成され、
前記貫通部の内壁に前記回転軸の先端に設けた前記突出部の外周部を対向させると共に、前記凹部の前記雌ねじに雄ねじを螺合させ、前記雄ねじを前記回転軸の先端から前記回転軸の後端に向かって前進させて、前記回転軸の先端に設けた前記突出部の前記外周部を拡開させて、前記回転軸の先端に設けた前記突出部の外周部を前記貫通部の内壁に押し付け、前記回転刃物本体を前記回転軸に固定する
ことを特徴とする加工用刃物。
【考案の詳細な説明】
【技術分野】
【０００１】
本考案は、加工用刃物に係り、特に、回転刃物本体を回転軸に取り付ける構造に関する。
【背景技術】
【０００２】
従来、加工用刃物は、回転刃物本体の中央部の貫通部に回転軸を通し、該回転軸と前記回転刃物本体との当接部位をロー付けにより接合している。
【考案の概要】
【考案が解決しようとする課題】
【０００３】
ところが、回転軸と回転刃物本体とのロー付けによる接合部位に集中的に荷重がかかるため、接合部位のロー付けを強固にしなければならないという問題点があった。
【０００４】
本考案は、上記の問題点を考慮してなされた加工用刃物を提供することを目的とする。
【課題を解決するための手段】
【０００５】
請求項１記載の加工用刃物は、回転軸に取り付けられ、回転しながら被加工物の加工を行う加工用刃物であって、前記被加工物の加工は、回転刃物本体の切削刃で行うものであり、前記回転刃物本体の中央部には、多角形状の貫通部を有し、前記回転軸の先端の断面形状は、多角形状部に形成され、前記多角形状の貫通部の内壁に前記多角形状部を当接させると共に、前記回転軸と前記回転刃物本体とをロー付けにより接合するものである。
【０００６】
また、請求項２記載の加工用刃物は、回転軸に着脱自在に取り付けられ、回転しながら被加工物の加工を行う加工用刃物であって、前記被加工物の加工は、回転刃物本体の切削刃で行うものであり、前記回転刃物本体の中央部には貫通部を有し、前記回転軸の先端には突出部が設けられ、前記突出部の中央には凹部が設けられ、前記回転軸の長手方向に沿うと共に、前記突出部から前記突出部の根元を超えた前記回転軸の部位に至る複数のスリットを設け、前記凹部の内壁には、雌ねじが形成され、前記貫通部の内壁に前記回転軸の先端に設けた前記突出部の外周部を対向させると共に、前記凹部の前記雌ねじに雄ねじを螺合させ、前記雄ねじを前記回転軸の先端から前記回転軸の後端に向かって前進させて、前記回転軸の先端に設けた前記突出部の前記外周部を拡開させて、前記回転軸の先端に設けた前記突出部の外周部を前記貫通部の内壁に押し付け、前記回転刃物本体を前記回転軸に固定するものである。
【考案の効果】
【０００７】
請求項１記載の加工用刃物によれば、回転刃物本体の多角形状の貫通部の内壁に回転軸の多角形状部を当接させると共に、前記回転軸と前記回転刃物本体とをロー付けにより接合するため、接合する部位を回転刃物本体の多角形状の貫通部の内壁に回転軸の多角形状部を当接させる部位と、ロー付けの部位と分散させることができ、ロー付けの部位の接合強度の軽減化を図ることができる。
【０００８】
また、請求項２記載の加工用刃物によれば、回転刃物本体の貫通部の内壁に回転軸の先端に設けた突出部の外周部を対向させると共に、前記突出部の中央に設けた凹部の雌ねじに雄ねじを螺合させ、前記雄ねじを前記回転軸の先端から前記回転軸の後端に向かって前進させて、前記回転軸の先端に設けた前記突出部の前記外周部を拡開させて、前記回転軸の先端に設けた前記突出部の外周部を前記貫通部の内壁に押し付け、前記回転刃物本体を前記回転軸に固定するするため、請求項１記載のようなロー付けを不要として、回転刃物本体を回転軸に固定することができる。
【図面の簡単な説明】
【０００９】
【図１】図１は、本考案の一実施例の加工用刃物の概略的正面図である。
【図２】図２は、図１の概略的平面図である。
【図３】図３は、図１の概略的斜視図である。
【図４】図４は、図１の加工用刃物を分解して示す概略的分解斜視図である。
【図５】図５は、図１の加工用刃物と異なる他の実施例の加工用刃物の概略的正面図である。
【図６】図６は、図５の概略的平面図である。
【図７】図７は、図５の概略的斜視図である。
【図８】図８は、図５の加工用刃物を分解して示す概略的分解斜視図である。
【図９】図９は、図５の回転軸の概略的平面図である。
【図１０】図１０は、図９の回転軸に雄ねじを螺合させた状態の概略的断面図である。
【図１１】図１１は、図８の回転刃物本体の貫通部の内壁に回転軸の先端の外周部を対向させ、回転軸に雄ねじを螺合させた状態の概略的断面図である。
【図１２】図１２は、レンチを使って図１１の雄ねじを前進させている状態を示す概略的断面図である。
【考案を実施するための形態】
【００１０】
本考案の一実施例の加工用刃物装置を図面を参照して説明する。
（実施例１）
図１乃至図４に示すＫは加工用刃物で、加工用刃物Ｋは、図示しないモータにより回転する回転軸１に取り付けられ、回転しながら被加工物（図示せず）の加工を行うものである。
前記被加工物（図示せず）の加工は、回転刃物本体２の切削刃２ａで行われる。回転刃物本体２の中央部には、多角形状（例えば、六角形）の貫通部２ｂを有している。
【００１１】
回転軸１の先端の断面形状は、多角形状部（例えば、六角形）に形成され、多角形状の貫通部２ｂの内壁２ｂ１に多角形状部１ａを当接させると共に、回転軸１と回転刃物本体２とをロー付けにより接合する。接合される部位を、図１、図２及び図３に符号３で示す。
【００１２】
従って、上述した加工用刃物Ｋによれば、回転刃物本体２の多角形状の貫通部２ｂの内壁２ｂ１に回転軸１の多角形状部１ａを当接させると共に、回転軸１と回転刃物本体２とをロー付けにより接合するため、接合する部位を回転刃物本体２の多角形状の貫通部２ｂの内壁２ｂ１に回転軸１の多角形状部１ａを当接させる部位と、ロー付けの部位３と分散させることができ、ロー付けの部位の接合強度の軽減化を図ることができる。
【００１３】
（実施例２）
図５乃至図１２に示すＫは加工用刃物で、加工用刃物Ｋは、図示しないモータにより回転する回転軸１に着脱自在に取り付けられ、回転しながら被加工物（図示せず）の加工を行うものである。
前記被加工物（図示せず）の加工は、回転刃物本体２の切削刃２ａで行われる。回転刃物本体２の中央部には、多角形状（例えば、六角形）の貫通部２ｂを有している。
【００１４】
回転軸１の先端には突出部１Ｂが、突出部１Ｂの中央には凹部が、それぞれ設けられている。
１Ｓは、回転軸１の長手方向に沿うと共に、突出部１Ｂから突出部１Ｂの根元を超えた回転軸１の部位１Ｘに至るスリットで、スリット１Ｓは、複数設けられている。
前記凹部の内壁には、雌ねじ１Ｂ１が形成され、５は雌ねじ１Ｂ１に螺合する雄ねじである。
回転軸１の先端に設けた突出部１Ｂの外周部１Ｂ２は、多角形状（例えば、六角形）に形成され、貫通部２ｂの内壁２ｂ１に回転軸１の先端に設けた突出部１Ｂの外周部１Ｂ２を対向させると共に、前記凹部の雌ねじ１Ｂ１に雄ねじ５を螺合させ、雄ねじ５を回転軸１の先端から回転軸１の後端に向かって前進させて、回転軸１の先端に設けた突出部１Ｂの外周部１Ｂ２を拡開させて、回転軸１の先端に設けた突出部１Ｂの外周部１Ｂ２を貫通部２ｂの内壁２ｂ１に押し付け、回転刃物本体２を回転軸１に固定する。
【００１５】
従って、上述した加工用刃物Ｋによれば、回転刃物本体２の貫通部２ｂの内壁２ｂ１に回転軸１の先端に設けた突出部１Ｂの外周部１Ｂ２を対向させると共に、回転軸１の先端に設けられた凹部の雌ねじ１Ｂ１に雄ねじ５を螺合させ、雄ねじ５をレンチ６を使用して回転軸１の先端から回転軸１の後端に向かって前進させて、回転軸１の先端に設けた突出部１Ｂの外周部１Ｂ２を拡開させて、回転軸１の先端に設けた突出部１Ｂの外周部１Ｂ２を貫通部２ｂの内壁２ｂ１に押し付け、回転刃物本体２を回転軸１に固定するため、実施例１のようなロー付けを不要として、回転刃物本体２を回転軸１に固定することができる。
【符号の説明】
【００１６】
Ｋ      加工用刃物
１      回転軸
１ａ    多角形状部
２      回転刃物本体
２ｂ    貫通部
２ｂ１  内壁
【図１】
0003183669.tif 000003
【図２】
0003183669.tif 000004
【図３】
0003183669.tif 000005
【図４】
0003183669.tif 000006
【図５】
0003183669.tif 000007
【図６】
0003183669.tif 000008
【図７】
0003183669.tif 000009
【図８】
0003183669.tif 000010
【図９】
0003183669.tif 000011
【図１０】
0003183669.tif 000012
【図１１】
0003183669.tif 000013
【図１２】
0003183669.tif 000014